(57)【要約】【課題】  光ディスク判別方法及びその装置を提供する。【解決手段】  レーザーダイオード、対物レンズ、受光素子などを含む光ピックアップを含んで記録及び／または再生可能な光ディスクシステムで対物レンズをアップ／ダウン移動させると同時にディスク半径方向に振動させつつ検出されるトラックエラー信号をチェックし、このトラックエラー信号の大きさを用いて光ディスクタイプを判別する。これにより、対物レンズをアップ／ダウン移動させるディスク判別初期段階でディスクのタイプを判別できてディスク判別時間を短縮させ、よって光ディスクシステムの性能を向上させる。【選択図】      図２ 
2005004955.tif 000002
【特許請求の範囲】
【請求項１】
レーザーダイオード、対物レンズ、受光素子などを含む光ピックアップを含んで記録及び／または再生可能な光ディスクシステムのためのディスク判別方法において、
前記対物レンズをアップ／ダウン移動させつつトラックエラー信号をチェックする段階と、
チェックされたトラックエラー信号の大きさを用いて光ディスクタイプを判別する段階とを含む方法。
【請求項２】
前記方法は、
前記トラックエラー信号のノイズ成分を除去して前記判別段階に提供する段階をさらに含む請求項１に記載の方法。
【請求項３】
前記ノイズ除去段階では前記トラックエラー信号を高域通過フィルター及び／または帯域通過フィルターに通過させて低周波ノイズ及び／または高周波ノイズを除去することを特徴とする請求項２に記載の方法。
【請求項４】
前記チェック段階では前記対物レンズをアップ／ダウン移動させると同時に前記対物レンズをディスクの内／外周方向にも振動させて前記受光素子の和信号の大きさが一定値以上になる地点でトラックエラー信号をチェックすることを特徴とする請求項１に記載の方法。
【請求項５】
前記判別段階では、前記受光素子の和信号の大きさとトラックエラー信号の大きさとの比を用いて再生専用ディスクであるか、あるいは記録可能ディスクであるかを判別することを特徴とする請求項４に記載の方法。
【請求項６】
前記チェック段階では、前記対物レンズをアップ／ダウン移動させると同時にピックアップをディスクの内／外周方向に移動させて前記受光素子の和信号の大きさが一定値以上になる地点でトラックエラー信号をチェックすることを特徴とする請求項１に記載の方法。
【請求項７】
前記判別段階では、前記受光素子の和信号の大きさとトラックエラー信号の大きさとの比を用いて再生専用ディスクであるか、あるいは記録可能ディスクであるかを判別することを特徴とする請求項６に記載の方法。
【請求項８】
前記チェック段階で前記光ディスクは回転していることを特徴とする請求項１に記載の方法。
【請求項９】
レーザーダイオード、対物レンズ、受光素子などを含む光ピックアップを含んで記録及び／または再生可能な光ディスクシステムのためのディスク判別方法において、
前記対物レンズをアップ／ダウン移動させつつトラックエラー信号とフォーカスエラー信号とをチェックする段階と、
前記トラックエラー信号とフォーカスエラー信号とを用いて光ディスクタイプを判別する段階と、を含む方法。
【請求項１０】
前記方法は、
前記トラックエラー信号のノイズ成分を除去して前記判別段階に提供する段階をさらに含む請求項９に記載の方法。
【請求項１１】
前記ノイズ除去段階では、前記トラックエラー信号を高域通過フィルター及び／または帯域通過フィルターを通過させて低周波ノイズ及び／または高周波ノイズを除去することを特徴とする請求項１０に記載の方法。
【請求項１２】
前記チェック段階では、前記対物レンズをアップ／ダウン移動させると同時に前記対物レンズをディスクの内／外周方向にも振動させて前記受光素子の和信号大きさが一定値以上になる地点でトラックエラー信号をチェックすることを特徴とする請求項９に記載の方法。
【請求項１３】
前記判別段階では、フォーカスエラー信号の大きさとトラックエラー信号の大きさとの比を用いて再生専用ディスクであるか、あるいは記録可能ディスクであるかを判別することを特徴とする請求項１２に記載の方法。
【請求項１４】
前記チェック段階では、前記対物レンズをアップ／ダウン移動させると同時にピックアップ移送モータにより前記ピックアップをディスクの内／外周方向に移動させ、前記受光素子の和信号の大きさが一定値以上になる地点でトラックエラー信号をチェックすることを特徴とする請求項９に記載の方法。
【請求項１５】
前記判別段階では、前記フォーカスエラー信号の大きさと前記トラックエラー信号の大きさとの比を用いて再生専用ディスクであるか、あるいは記録可能ディスクであるかを判別することを特徴とする請求項１４に記載の方法。
【請求項１６】
前記チェック段階で前記光ディスクは回転していることを特徴とする請求項９に記載の方法。
【請求項１７】
レーザーダイオード、対物レンズ、受光素子などを含む光ピックアップを含んで記録及び／または再生が可能な光ディスクシステムのためのディスク判別方法において、
前記対物レンズをアップ／ダウン移動させつつ対物レンズをディスクの内／外周方向にも振動させる段階と、
受光素子の和信号、トラックエラー信号及び／またはフォーカスエラー信号を検出する段階と、
前記受光素子の和信号、トラックエラー信号及び／またはフォーカスエラー信号を用いて光ディスクタイプを判別する段階とを含む方法。
【請求項１８】
前記検出段階は、
前記受光素子の和信号の大きさが一定値以上のフォーカス初期時点であるか否かをチェックする段階と、
前記フォーカス初期時点で前記受光素子の和信号、トラックエラー信号及び／またはフォーカスエラー信号を測定する段階と、
前記対物レンズが少なくても１回のアップ及び／またはダウンが完了されたか否かを判断してアップ／ダウンが完了された後に前記判別段階に進む段階と、を含む請求項１７に記載の方法。
【請求項１９】
前記方法は、
前記トラックエラー信号のノイズ成分を除去して前記判別段階に提供する段階をさらに含む請求項１７に記載の方法。
【請求項２０】
前記ノイズ除去段階では、前記トラックエラー信号を高域周波数フィルター及び／または帯域通過フィルターに通過させて低周波ノイズ及び／または高周波ノイズを除去することを特徴とする請求項１９に記載の方法。
【請求項２１】
前記判別段階では、前記受光素子の和信号の大きさとトラックエラー信号の大きさとの比を用いて再生専用ディスクであるか、あるいは記録可能ディスクであるかを判別することを特徴とする請求項１７に記載の方法。
【請求項２２】
前記判別段階では前記フォーカスエラー信号の大きさとトラックエラー信号の大きさとの比をさらに用いて再生専用ディスクであるか、あるいは記録可能ディスクであるかを判別することを特徴とする請求項２１に記載の方法。
【請求項２３】
前記振動段階では前記対物レンズをディスクの内／外周方向に振動させずにピックアップ移送モータにより前記ピックアップをディスクの内／外周方向に振動させることを特徴とする請求項１７に記載の方法。
【請求項２４】
前記光ディスクは回転していることを特徴とする請求項１７に記載の方法。
【請求項２５】
記録及び／または再生可能な光ディスクシステムのためのディスク判別装置において、
レーザーダイオード、対物レンズ、受光素子などを含む光ピックアップと、
前記対物レンズをアップ／ダウン移動させるフォーカスアクチュエータと前記対物レンズとをディスクの内／外周方向にも振動させるトラッキングアクチュエータとを含む駆動部と、
前記受光素子の和信号、トラックエラー信号及び／またはフォーカスエラー信号を検出する検出ユニットと、
前記受光素子の和信号、トラックエラー信号及び／またはフォーカスエラー信号を用いて光ディスクタイプを判別するコントローラとを含む装置。
【請求項２６】
前記トラックエラー信号のノイズ成分を除去して前記コントローラに提供するノイズ除去器をさらに含む請求項２５に記載の装置。
【請求項２７】
前記ノイズ除去器は前記トラックエラー信号に載せられた低周波ノイズを除去するための高域通過フィルターよりなることを特徴とする請求項２６に記載の装置。
【請求項２８】
前記ノイズ除去器は前記トラックエラー信号に載せられた高周波ノイズを除去するための帯域通過フィルターよりなることを特徴とする請求項２６に記載の装置。
【請求項２９】
前記コントローラは前記対物レンズをアップ／ダウン移動させると同時に前記対物レンズをディスクの内／外周方向にも振動するように制御しつつ受光素子の和信号の大きさが一定値以上になる地点でトラックエラー信号をチェックすることを特徴とする請求項２５に記載の装置。
【請求項３０】
前記コントローラは前記受光素子の和信号の大きさと前記チェックされたトラックエラー信号の大きさとの比を用いて再生専用ディスクであるか、あるいは記録可能ディスクであるかを判別することを特徴とする請求項２９に記載の装置。
【請求項３１】
前記コントローラは前記フォーカスエラー信号の大きさと前記チェックされたトラックエラー信号の大きさとの比を用いて再生専用ディスクであるか、あるいは記録可能ディスクであるかを判別することを特徴とする請求項２９に記載の装置。
【請求項３２】
前記コントローラは、前記受光素子の和信号の大きさとトラックエラー信号の大きさとの比と、前記フォーカスエラー信号の大きさと前記チェックされたトラックエラー信号の大きさとの比とを用いて再生専用ディスクであるか、あるいは記録可能ディスクであるかを判別することを特徴とする請求項２９に記載の装置。
【請求項３３】
前記駆動部は前記光ディスクを回転させ続けることを特徴とする請求項２５に記載の装置。
【発明の詳細な説明】
【技術分野】
【０００１】
本発明は光ディスク判別分野に係り、特に光ディスクタイプが再生専用ディスクであるか、または記録可能ディスクであるかを速かに判別する方法及びその装置に関する。
【背景技術】
【０００２】
光ディスクタイプの多様化につれて、これを記録／再生する光ディスクシステムの対応するディスクタイプも多くなった。ディスクが光ディスクシステムに装着された時、装着されたディスクのタイプを認識するのにかかる時間は光ディスクシステムの性能を測定する１つの基準となっている。
【０００３】
従来には再生専用及び／または記録可能ディスクを記録／再生する光ディスクシステムで、再生専用ディスクであるか、あるいは記録可能ディスクであるかを判別するためにはフォーカス制御を行い始めてから、あるいはフォーカス制御を行った後、トラッキング制御まで行い始めてから、生成される特定信号を観察してディスクタイプを判別した。
【０００４】
このような従来の判別方法は、再生専用ディスクであるか、または記録可能ディスクであるかを判別するために、一旦フォーカス制御のための準備段階としてピックアップユニットを構成している対物レンズをアップ及び／またはダウンし、フォーカス制御が始まった後またはフォーカス制御を行った後にトラッキング制御まで始まった後に生成される特定信号を参照してディスクを判別するので、判別に長時間がかかった。
【特許文献１】特開平１２−１７３１６２
【特許文献２】特開平１２−２６０１０９
【特許文献３】特開平１２−２８５４７６
【特許文献４】特開平１３−２４３６９６
【特許文献５】特開平１４−１５７７５１
【発明の開示】
【発明が解決しようとする課題】
【０００５】
したがって、本発明の目的は、光ディスクタイプを速かに判別する方法及び装置を提供するところにある。
【０００６】
本発明の他の目的は、単に対物レンズをアップ／ダウン移動させる段階で信頼性を持って光ディスクタイプを判別する方法及び装置を提供するところにある。
【０００７】
本発明のさらに他の目的は、高密度ディスクを記録／再生する光ディスクシステムにおいて、対物レンズをアップ／ダウン移動させるフォーカス初期段階で再生専用ディスクであるか、あるいは記録可能ディスクであるかを判別する方法及び装置を提供するところにある。
【課題を解決するための手段】
【０００８】
本発明によって、前記目的はレーザーダイオード、対物レンズ、受光素子などを含む光ピックアップを含んで記録及び／または再生可能な光ディスクシステムのためのディスク判別方法において、前記対物レンズをアップ／ダウン移動させつつトラックエラー信号をチェックする段階と、チェックされたトラックエラー信号の大きさを用いて光ディスクタイプを判別する段階とを含む方法により達成される。
【０００９】
前記判別段階では、前記受光素子の和信号の大きさとトラックエラー信号の大きさとの比を用いて再生専用ディスクであるか、あるいは記録可能ディスクであるかを判別することが望ましい。
【００１０】
前記目的は、レーザーダイオード、対物レンズ、受光素子などを含む光ピックアップを含んで記録及び／または再生可能な光ディスクシステムのためのディスク判別方法において、前記対物レンズをアップ／ダウン移動させつつトラックエラー信号とフォーカスエラー信号とをチェックする段階と、前記トラックエラー信号とフォーカスエラー信号とを用いて光ディスクタイプを判別する段階とを含む方法により達成される。
【００１１】
また、前記目的は、レーザーダイオード、対物レンズ、受光素子などを含む光ピックアップを含んで記録及び／または再生が可能な光ディスクシステムのためのディスク判別方法において、前記対物レンズをアップ／ダウン移動させつつ対物レンズをディスクの内／外周方向にも振動させる段階と、受光素子の和信号、トラックエラー信号及び／またはフォーカスエラー信号を検出する段階と、前記受光素子の和信号、トラックエラー信号及び／またはフォーカスエラー信号を用いて光ディスクタイプを判別する段階を含む方法により達成される。
【００１２】
本発明の他の分野によれば、前記目的は、記録及び／または再生可能な光ディスクシステムのためのディスク判別装置において、レーザーダイオード、対物レンズ、受光素子などを含む光ピックアップと、前記対物レンズをアップ／ダウン移動させるフォーカスアクチュエータと前記対物レンズをディスクの内／外周方向にも振動させるトラッキングアクチュエータとを含む駆動部と、前記受光素子の和信号、トラックエラー信号及び／またはフォーカスエラー信号を検出する検出ユニットと、前記受光素子の和信号、トラックエラー信号及び／またはフォーカスエラー信号を用いて光ディスクタイプを判別するコントローラと、を含む装置により達成される。
【発明の効果】
【００１３】
本発明は再生専用光ディスク及び／または記録可能光ディスクを記録／再生できる光ディスクシステムにおいて、対物レンズをアップ／ダウンさせるフォーカス初期段階でディスクのタイプを判別できてディスクの判別時間を短縮させ、よって光ディスクシステムの性能を向上させて高い信頼性を確保できる。
【発明を実施するための最良の形態】
【００１４】
以下、添付した図面に基づいて本発明の望ましい実施例を説明する。
【００１５】
図１は、本発明に係る光ピックアップの移動軌跡を示す図である。１００は光ディスクであり、１０１は光ピックアップ（ピックアップユニットとも称する）であり、１０２は駆動部（図示せず）により軸方向に光ピックアップ１０１をアップ／ダウンさせて生じる移動軌跡を示し、１０３は駆動部により半径方向に（ディスクの内／外周方向に）光ピックアップ１０１を振動させて生じる移動軌跡を示し、１０４は駆動部により軸方向に光ピックアップ１０１をアップ／ダウンさせつつ半径方向に光ピックアップ１０１を振動させる時、光ピックアップ１０１の実際移動軌跡を示す。
【００１６】
図２は、本発明による光ディスク判別装置の一実施例に係るブロック図であって、光ディスク２００、ピックアップユニット（Ｐ／Ｕ）２１０、再生信号増幅器（ＲＦ−ＡＭＰ）２２０、ノイズ除去器２３０、コントローラ２４０、駆動部２５０で構成されており、本発明の光ディスク判別装置は再生専用ディスク及び／または記録可能ディスクを記録／再生できる光ディスクシステムに適用しうる。
【００１７】
図２を参照すれば、ピックアップユニット２１０は高密度光ディスクの再生が可能な短波長レーザーダイオードで構成された発光素子、高開口率の対物レンズと高密度光ディスクに記録された情報を読出すためにディスクから反射されたレーザービームを検出するフォトダイオードで構成された受光素子などの多様な光学系要素より構成されている。前記フォトダイオードは、システムに応じてレーザーダイオードとフォトダイオードとがモジュール形態に構成されたものもある。
【００１８】
このように構成されたピックアップユニット２１０の動作を簡略に説明すれば、レーザーダイオードから出射されたビームが対物レンズを通りつつ光ディスクの記録面に焦点を形成し、この焦点はディスク上に記録されている情報を読出可能にする。ディスクから反射されてきた光がフォトダイオードを通じて電気的な信号に変換される。ＲＦ−ＡＭＰ２２０はこの電気的な信号からサーボ制御用信号、光ディスクに保存された情報を検出できる高周波周波数（ＲＦ）信号（再生信号とも称する）などに出力する。
【００１９】
本発明はＲＦ−ＡＭＰ２２０から出力されるサーボ制御用信号（トラックエラー信号、フォーカスエラー信号）を用いて単に対物レンズをアップ／ダウン移動させる時点（フォーカス初期段階）で光ディスクタイプを判別できる特徴を有する。
【００２０】
すなわち、光ディスク２００が光ディスクシステムに装着されれば、ピックアップユニット２１０内のレーザーダイオードを動作させ、対物レンズをアップ／ダウン移動させる。この時、対物レンズをアップ／ダウン移動させるためには、駆動部２５０内のフォーカスアクチュエータがその役割をする。この際、アップ／ダウン動き量は対物レンズから出射されるレーザービームの焦点が光ディスクに結ばれるように十分な距離を確保する。駆動部２５０はディスク上の適当な経路に動くためのモータとアクチュエータとで構成され、特に本発明では対物レンズをアップ／ダウン移動させるためのフォーカスアクチュエータ、ディスクを半径方向に振動させるためのトラッキングアクチュエータ、ピックアップユニットをディスクの内／外周方向に移動させるピックアップ移送モータ（スレッドモータ）などを含む。
【００２１】
一方、再生専用ディスクと記録可能ディスクとは次のような物理的な差がある。再生専用ディスクの場合、平らなディスクの表面に回転方向に情報ピットが刻まれており、記録可能ディスクは表面にディスク回転方向にランド／グルーブ形態の溝が形成されており、通常グルーブにデータを記録する。このようなディスクの物理的な特徴によってサーボ制御用信号、特に、トラックエラー信号を観察した時、再生専用ディスクより記録可能ディスクのトラックエラー信号がはるかに大きい。
【００２２】
付加的に、受光素子の光検出片が４分割（Ａ：左上段、Ｂ：右上段、Ｃ：右下段、Ｄ：左下段）されているならば、プッシュプル増幅器を用いて２チャンネルの差動出力信号（（Ａ＋Ｄ）−（Ｂ＋Ｃ）；左側の２電気的信号の和信号と右側の２電気的信号の和信号との差信号または（Ｂ＋Ｃ）−（Ａ＋Ｄ）；右側の２電気的信号の和信号と左側の２電気的信号の和信号との差信号）を検出するが、これをプッシュプル信号と言い、トラックエラー信号（ＴＥ）として用いる。このプッシュプル増幅器はＲＦ−ＡＭＰ２２０内に構成され、またＲＦ−ＡＭＰ２２０では受光素子の４チャンネルの和信号（Ａ＋Ｂ＋Ｃ＋Ｄ）を検出するが、この信号は情報検出のための再生信号、すなわち、ＲＦ信号として使われ、本発明ではサーボ制御用信号と共にディスク判別に用いて、受光素子の和信号といい、ＰＩと表記する。
【００２３】
したがって、コントローラ２４０は対物レンズをアップ／ダウン移動させる時、受光素子の和信号ＰＩの大きさが一定の大きさ以上になる時点（フォーカス地点近傍）でトラックエラー信号ＴＥと受光素子の和信号（ＰＩ信号）とを観察して二信号の割合で再生専用ディスクであるか、あるいは記録可能ディスクであるかを判別する。この際、光ディスク２００は回転している。
【００２４】
ノイズ除去器２３０はトラックエラー信号ＴＥに載せられる低周波ノイズに対する影響をなくすために高域通過フィルターより構成され、高周波ノイズに対する影響をなくすために帯域通過フィルターより構成されうる。
【００２５】
このトラックエラー信号ＴＥが現れるためには光ビームがトラックを横断せねばならないが、普通、ディスクの回転時に偏心による影響でトラックエラー信号ＴＥを観察できるが、ディスク１回転当り２回は瞬時にトラック横断信号が現れなくなる。本発明では対物レンズをアップ／ダウンさせる時点でディスクタイプを判別するために必要なトラックエラー信号ＴＥを容易に観察するために、コントローラ２４０の制御下で対物レンズをアップ／ダウンさせると同時に対物レンズを内／外周方向に振動させる。この際、内／外周方向の振動周波数はディスクの回転周波数より大きい周波数にして偏心による影響をなくす。また、駆動部２５０は対物レンズを内／外周方向に振動させるトラッキングアクチュエータを駆動させずにピックアップユニット２１０自体をディスク２００の内／外周方向に移動させるピックアップ移送モータ（スレッドモータ）をも駆動させうる。本発明のコントローラ２４０はディスク判別だけでなく駆動部２５０を駆動するサーボ駆動信号を提供するサーボコントローラの役割も行っているが、サーボコントローラが別途に構成されうる。
【００２６】
一方、実際に受光素子の和信号ＰＩとトラックエラー信号ＴＥとの比率を観察したところ、記録可能ディスクが再生専用ディスクに比べて数倍以上大きな値を有する。受光素子の和信号ＰＩの大きさとトラックエラー信号ＴＥの大きさ比を用いる理由は、ディスクによってレーザービームの反射量が異なるためにトラックエラー信号ＴＥを含む一連の信号が大きいか、小さいディスクが有り得るが、レーザービームの反射量が異なっても受光素子の和信号ＰＩとトラックエラー信号ＴＥの比率は一定であるので、ディスクタイプによる偏差を減らせるからである。したがって、受光素子の和信号ＰＩの大きさとトラックエラー信号ＴＥの大きさとの比が大きければ再生専用ディスクと判別し、小さければ記録可能ディスクと判別する。これを整理すれば次の表１のようである。
【００２７】
【表１】
2005004955.tif 000003
したがって、コントローラ２４０はディスクが光ディスクシステムに装着されれば、駆動部２５０を制御して対物レンズをアップ／ダウン移動させつつ対物レンズまたはピックアップユニット２１０を内／外周方向に移動させた後に生成されるノイズ除去器２３０を経たトラックエラー信号ＴＩを用いてディスクタイプを判別でき、表１で説明したように受光素子の和信号ＰＩの大きさとトラックエラー信号ＴＩの大きさとの比を用いてもディスクタイプを判別でき、またトラックエラー信号ＴＩの大きさとフォーカスエラー信号ＰＩの大きさとの比を用いてもディスクタイプを判別でき、前記３つの場合のうち２つまたは全てを用いて判別しても良い。
【００２８】
図３は、再生専用ディスクである場合、図２に示された装置で発生する信号の波形を示す図であって、３０１はＲＦ−ＡＭＰ２２０から出力される受光素子の和信号ＰＩであり、３０２はＲＦ−ＡＭＰ２２０から出力されるフォーカスエラー信号ＦＥであり、３０３はＲＦ−ＡＭＰ２２０から出力されるトラックエラー信号ＴＥであり、３０４はノイズ除去器２３０を通過したトラックエラー信号ＴＥである。
【００２９】
図４は、記録可能ディスクである場合、図２に示された装置から発生する信号の波形を示す図であって、４０１はＲＦ−ＡＭＰ２２０から出力される受光素子の和信号ＰＩであり、４０２はＲＦ−ＡＭＰ２２０から出力されるフォーカスエラー信号ＦＥであり、４０３はＲＦ−ＡＭＰ２２０から出力されるトラックエラー信号ＴＥであり、４０４はノイズ除去器２３０を通過したトラックエラー信号ＴＥである。
【００３０】
したがって、図３及び図４で分かるように、受光素子の和信号ＰＩの大きさとフォーカスエラー信号ＰＥの大きさは、記録可能ディスク及び再生専用ディスク何れも一定大きさの大きい値を有し、トラックエラー信号ＴＥの大きさはフォーカスが合う地点で記録可能ディスクが再生専用ディスクより大きい値を有する。したがって、トラックエラー信号だけを用いてディスクタイプを判別しても、受光素子の和信号の大きさとトラックエラー信号の大きさとの比を用いてディスクタイプを判別しても、受光素子の和信号の代りにフォーカスエラー信号の大きさとトラックエラー信号の大きさとの比を用いてディスクタイプを判別しても良い。
【００３１】
図５は、本発明による光ディスク判別方法の一実施例に係るフローチャートであり、図２を結付させて説明する。駆動部２５０のフォーカスアクチュエータを駆動して対物レンズをアップ／ダウンさせ、トラッキングアクチュエータを駆動して対物レンズを内／外周方向に振動させる（５１０段階）。５１０段階でトラッキングアクチュエータを駆動せず、ピックアップ移送モータを駆動してピックアップユニット２１０をディスクの内／外周方向に振動させうる。この際、光ディスク２００は回転している。
【００３２】
対物レンズをアップ／ダウンさせつつディスクの内／外周方向に振動させる時、ＲＦ−ＡＭＰ２２０から出力されるピックアップユニット２１０内の受光素子の和信号ＰＩの大きさが一定値以上であるか、すなわち、フォーカスが概略的に合う区間であるかを判断し（５２０段階）、この区間の間に和信号ＰＩの大きさ、フォーカスエラー信号ＦＥの大きさとノイズ除去器２３０を経たトラックエラー信号ＴＥの大きさとを測定する（５３０段階）。対物レンズを既定の最高点までアップ移動させた後、再び最低点までダウン移動させたか否かを判断し（５４０段階）、対物レンズを最高点までアップ移動させてから最低点までダウン移動させたならば、和信号ＰＩの大きさとトラックエラー信号ＴＥの大きさとの比をチェックする５５０段階に進め、そうでなければフォーカスアクチュエータをアップ／ダウンさせつつ内／外周方向に振動させる５１０段階に進める。５４０段階で、さらによい判別の信頼性のために対物レンズを最高点までアップ移動させた後、最低点までダウン移動させる動作を１回以上反復して測定された複数回数の和信号ＰＩの大きさ、フォーカスエラー信号ＦＥの大きさとノイズ除去器２３０を経たトラックエラー信号ＴＥの大きさとを用いてディスクタイプを判別する５５０段階に進行するか、より迅速な判別のために対物レンズを最高点までアップ移動させた後、測定された和信号ＰＩの大きさ、フォーカスエラー信号ＦＥの大きさとノイズ除去器２３０を経たトラックエラー信号ＴＥの大きさとを用いてディスクタイプを判別する５５０段階に進行しうる。５５０段階ではトラックエラー信号ＴＥだけをチェックするか、フォーカスエラー信号ＦＥの大きさとトラックエラー信号ＴＥの大きさとの比をチェックするか、あるいは全てチェックしうる。
【００３３】
５５０段階でチェックされたＰＩ／ＴＥ比率が基準値より大きければ、装着されたディスクのタイプを再生専用ディスクと判別し（５６０段階）、小さければ記録可能ディスクと判別する（５７０段階）。
【産業上の利用可能性】
【００３４】
本発明は再生専用高密度ディスク及び／または記録可能高密度ディスクを記録／再生する光ディスクシステムに適用しうる。
【図面の簡単な説明】
【００３５】
【図１】本発明による光ピックアップの移動軌跡を説明するための図である。
【図２】本発明による光ディスク判別装置の一実施例によるブロック図である。
【図３】再生専用ディスクを装着した場合、図２に示された装置で発生する信号の波形図である。
【図４】記録可能ディスクを装着した場合、図２に示された装置で発生する信号の波形図である。
【図５】本発明による光ディスク判別方法の一実施例に係るフローチャートである。
【符号の説明】
【００３６】
２００  光ディスク
２１０  ピックアップユニット
２２０  再生信号増幅器
２３０  ノイズ除去器
２４０  コントローラ
２５０  駆動部
【図１】
2005004955.tif 000004
【図２】
2005004955.tif 000005
【図３】
2005004955.tif 000006
【図４】
2005004955.tif 000007
【図５】
2005004955.tif 000008